(57)【要約】【課題】冷凍回路のサービス性を向上させる。【解決手段】冷凍回路１０は、冷媒を圧縮するスクロール式の圧縮機１１と、圧縮機１１で圧縮された冷媒を凝縮する凝縮器２０と、凝縮器２０により凝縮された冷媒を膨張させる膨張弁２１と、膨張弁２１で膨張された冷媒を蒸発させる蒸発器２２と、蒸発器２２で蒸発された気体の冷媒を通し、液体の冷媒を通さないアキュムレータ２４と、圧縮機１１、凝縮器２０、膨張弁２１、蒸発器２２及びアキュムレータ２４を連結し、冷媒が通る配管３０と、蒸発器２２の下流側における圧縮機１１と蒸発器２２との間に設けられ、冷媒を回収可能なチャージポート２５と、を備える。【選択図】図１
2019039569.tif 000002
【特許請求の範囲】
【請求項１】
冷媒を圧縮するスクロール式の圧縮機と、
前記圧縮機で圧縮された前記冷媒を凝縮する凝縮器と、
前記凝縮器により凝縮された前記冷媒を膨張させる膨張弁と、
前記膨張弁で膨張された前記冷媒を蒸発させる蒸発器と、
前記蒸発器で蒸発された気体の前記冷媒を通し、液体の前記冷媒を通さないアキュムレータと、
前記圧縮機、前記凝縮器、前記膨張弁、前記蒸発器及び前記アキュムレータを連結し、前記冷媒が通る配管と、
前記蒸発器の下流側における前記圧縮機と前記蒸発器との間に設けられ、前記冷媒を回収可能なチャージポートと、を備える、冷凍回路。
【請求項２】
前記蒸発器の下流側における側前記蒸発器と前記圧縮機との間には、前記蒸発器側から前記圧縮機側への前記冷媒の移動を許容し、前記圧縮機側から前記蒸発器側への前記冷媒の移動を規制するチェックバルブを備えている請求項１に記載の冷凍回路。
【請求項３】
前記アキュムレータは、前記チェックバルブの下流側における前記チェックバルブと前記圧縮機との間に配され、
前記チャージポートは、前記アキュムレータの下流側における前記圧縮機と前記アキュムレータとの間に配されている請求項２に記載の冷凍回路。
【請求項４】
前記アキュムレータは、前記チェックバルブの下流側における前記チェックバルブと前記圧縮機との間に配され、
前記チャージポートは、前記チェックバルブの下流側における前記チェックバルブと前記アキュムレータとの間に配されている請求項２に記載の冷凍回路。
【発明の詳細な説明】
【技術分野】
【０００１】
本明細書では、冷凍回路に関する技術を開示する。
【背景技術】
【０００２】
従来、圧縮機と膨張弁とを備えた冷凍回路が知られている。この種の冷凍回路は、図４に示すように、圧縮機１、凝縮器２、膨張弁３、蒸発器４が配管５により接続されて循環回路を構成している。圧縮機１としては、吸入弁と吐出弁とを有するレシプロ式の圧縮機が用いられており、配管５を通る冷媒は、吸入弁を介してシリンダ内に吸引され、シリンダ内で圧縮された高温高圧の冷媒ガスは吐出弁を介してシリンダ外の配管５に排出されて凝縮器２に供給される。凝縮器２では、冷媒ガスが高温高圧の液化冷媒とされ、膨張弁３で絞り膨張されることで減圧されて蒸発器４に供給され、蒸発器４では、液化冷媒が蒸発する時に熱を奪う。この冷凍回路には、圧縮機１の下流側における圧縮機１と凝縮器２との間に高圧側チャージポート６Ａが設けられるとともに、蒸発器４の下流側における蒸発器４と圧縮機１との間に低圧側チャージポート６Ｂが設けられている。メンテナンス等の際には、高圧側チャージポート６Ａ及び低圧側チャージポート６Ｂから冷媒の回収や充填が行われる。
【先行技術文献】
【特許文献】
【０００３】
【特許文献１】特開平９−２６９１６４号公報
【発明の概要】
【発明が解決しようとする課題】
【０００４】
ところで、上記構成の冷凍回路は、圧縮機の吸入弁及び吐出弁と、膨張弁とにより、冷媒の経路が（弁により）閉ざされた構成となっているため、上記したように、高圧側チャージポートと低圧側チャージポートとの双方を使用して冷媒の回収や充填をする必要がある。したがって、１つのチャージポートでは冷媒の回収や充填をすることができないため、サービス性が良くないという問題があった。
【０００５】
本明細書に記載された技術は、上記のような事情に基づいて完成されたものであって、冷凍回路のサービス性を向上させることを目的とする。
【課題を解決するための手段】
【０００６】
本明細書に記載された冷凍回路は、冷媒を圧縮するスクロール式の圧縮機と、前記圧縮機で圧縮された前記冷媒を凝縮する凝縮器と、前記凝縮器により凝縮された前記冷媒を膨張させる膨張弁と、前記膨張弁で膨張された前記冷媒を蒸発させる蒸発器と、前記蒸発器で蒸発された気体の前記冷媒を通し、液体の前記冷媒を通さないアキュムレータと、前記圧縮機、前記凝縮器、前記膨張弁、前記蒸発器及び前記アキュムレータを連結し、前記冷媒が通る配管と、前記蒸発器の下流側における前記圧縮機と前記蒸発器との間に設けられ、前記冷媒を回収可能なチャージポートと、を備える。
【０００７】
上記構成によれば、スクロール式の圧縮機を用いることにより、レシプロ式の圧縮機のように吸入弁や吐出弁が設けられないため、膨張弁と圧縮機との間において、複数の弁により冷媒の経路が閉ざされなくなる。これにより、１つのチャージポートで、冷凍回路の配管の全体から冷媒の回収や充填が可能になるため、冷凍回路のサービス性を向上させることが可能になる。
ここで、このようにスクロール式の圧縮機を用いる場合には、圧縮機に吸入弁や吐出弁が設けられないため、液体の冷媒の圧縮機側への吸入を規制することができず、液体の冷媒が圧縮機に吸入されて液圧縮をしてしまうことが懸念される。一方、上記構成によれば、アキュムレータにより液体の冷媒の蒸発器側から圧縮機側の流入が規制されるため、液体の冷媒が圧縮機に流入して液圧縮されることによる不具合を抑制することができる。
【０００８】
本明細書に記載された技術の実施態様としては以下の態様が好ましい。
前記蒸発器の下流側における側前記蒸発器と前記圧縮機との間には、前記蒸発器側から前記圧縮機側への前記冷媒の移動を許容し、前記圧縮機側から前記蒸発器側への前記冷媒の移動を規制するチェックバルブを備えている。
このようにすれば、圧縮機停止時に圧縮機側の冷媒が蒸発器側に流れなくなるため、蒸発器側に流れた液冷媒が蒸発器に寝込むことを抑制することができる。
【０００９】
前記アキュムレータは、前記チェックバルブの下流側における前記チェックバルブと前記圧縮機との間に配され、前記チャージポートは、前記アキュムレータの下流側における前記圧縮機と前記アキュムレータとの間に配されている。
チャージポートがチェックバルブの上流側に配置されていると、配管が長くて加工性が良い反面、チャージポートがチェックバルブの上流にあることにより、ユーザがチェックバルブ下流の冷媒を回収できないと誤認してしまう問題がある。上記構成によれば、チャージポートをチェックバルブの下流に置くことで、冷媒回収が可能であるとの認識が容易になるため、サービス性を向上させることが可能になる。
【００１０】
前記アキュムレータは、前記チェックバルブの下流側における前記チェックバルブと前記圧縮機との間に配され、前記チャージポートは、前記チェックバルブの下流側における前記チェックバルブと前記アキュムレータとの間に配されている。
このようにすれば、チェックバルブの下流側における圧縮機とチャージポートとの間にアキュムレータが配されることより、液冷媒を充填した場合でも、アキュムレータに液冷媒を溜め込むことができる為、圧縮機に直接液冷媒が入ることを防止できる。
【発明の効果】
【００１１】
本明細書に記載された技術によれば、冷凍回路のサービス性を向上させることが可能になる。
【図面の簡単な説明】
【００１２】
【図１】実施形態１の冷凍回路の構成を示す図
【図２】圧縮機の構成を示す断面図
【図３】実施形態２の冷凍回路の構成を示す図
【図４】従来の冷凍回路の構成を示す図
【発明を実施するための形態】
【００１３】
本実施形態の冷凍回路１０について図１，図２を参照しつつ説明する。
冷凍回路１０は、冷却対象物を収容して冷却や貯蔵が可能な冷却庫に備えられており、図１に示すように、圧縮機１１、凝縮器２０、膨張弁２１、蒸発器２２、チェックバルブ２３及びアキュムレータ２４を備え、これらが冷媒が通る配管３０により連結されて循環回路を構成している。
【００１４】
圧縮機１１は、スクロール式の圧縮機であって、図２に示すように、渦巻き状に巻回された形状を有し、ハウジングに固定された固定スクロール１２と、渦巻き状に巻回された形状を有し、固定スクロール１２に対して旋回可能な旋回スクロール１３と、上流側の配管３０に連なる吸入管１４と、下流側の配管３０に連なる吐出管１５とを備える。吐出管１５は、固定スクロール１２及び旋回スクロール１３の中心側に吐出口１５Ａが開口している。旋回スクロール１３が固定スクロール１２に対して旋回運動（揺動運動）することにより、吸入管１４から吸い込んだ冷媒を圧縮していき、吐出管１５から圧縮された冷媒を吐出する。
【００１５】
凝縮器２０は、図１に示すように、圧縮機１１の下流側に設けられ、圧縮機１１で圧縮された冷媒を凝縮する。膨張弁２１は、蒸発器２２の下流側に設けられた感温筒２８によって検知された蒸発器２２の出口側の冷媒ガスの温度に基づいて開度が調節され、凝縮器２０により凝縮された冷媒を減圧する。蒸発器２２は、膨張弁２１で減圧された液体の冷媒を蒸発させ、液化の冷媒が蒸発する時に熱を奪う。
【００１６】
アキュムレータ２４は、蒸発器２２の下流側におけるチェックバルブ２３と圧縮機１１との間に設けられて冷媒ガスに含まれる液状の冷媒を分離するものであり、蒸発器２２で蒸発された気体の冷媒を圧縮機１１側に通し、液体の冷媒は圧縮機１１側に通さない。チェックバルブ２３は、圧縮機１１側から蒸発器２２側へ冷媒が逆流するのを防ぐ逆止弁である。圧縮機１１の停止時には、チェックバルブ２３により、圧縮機１１側の冷媒が蒸発器２２に流れることを抑制することができるため、蒸発器２２側に流れた液冷媒が蒸発器２２に寝込むのを防ぐことができる。
【００１７】
蒸発器２２の下流側における圧縮機１１と蒸発器２２との間には、ユーザにより冷媒の回収及び充填が可能な１つのチャージポート２５が設けられている。なお、本実施形態の冷凍回路１０は、チャージポート２５以外に冷媒の回収や充填が可能なチャージポートは設けられていない。
【００１８】
本実施形態によれば、以下の作用、効果を奏する。
冷凍回路１０は、冷媒を圧縮するスクロール式の圧縮機１１と、圧縮機１１で圧縮された冷媒を凝縮する凝縮器２０と、凝縮器２０により凝縮された冷媒を減圧する膨張弁２１と、膨張弁２１で減圧された冷媒を蒸発させる蒸発器２２と、蒸発器２２で蒸発された気体の冷媒を通し、液体の冷媒を通さないアキュムレータ２４と、圧縮機１１、凝縮器２０、膨張弁２１、蒸発器２２及びアキュムレータ２４を連結し、冷媒が通る配管３０と、蒸発器２２の下流側における圧縮機１１と蒸発器２２との間に設けられ、冷媒を回収可能なチャージポート２５と、を備える。
【００１９】
本実施形態によれば、スクロール式の圧縮機１１を用いることにより、レシプロ式の圧縮機のように吸入弁や吐出弁が設けられないため、膨張弁２１と圧縮機１１との間において、複数の弁により冷媒の経路が閉ざされなくなる。これにより、１つのチャージポート２５で、冷凍回路１０の配管３０の全体から冷媒の回収や充填が可能になるため、冷凍回路１０のサービス性を向上させることが可能になる。
ここで、このようにスクロール式の圧縮機１１を用いる場合には、圧縮機１１自体には吸入弁や吐出弁が設けられないため、圧縮機１１の構成によっては液体の冷媒の圧縮機１１への吸入を規制することができず、液体の冷媒が圧縮機１１に吸入されて液圧縮をしてしまうことが懸念される。一方、上記実施形態によれば、アキュムレータ２４により液体の冷媒の蒸発器２２側から圧縮機１１側の流入が規制されるため、液体の冷媒が圧縮機１１に流入して液圧縮されることによる不具合を抑制することができる。
【００２０】
また、蒸発器２２の下流側における側蒸発器２２と圧縮機１１との間には、蒸発器２２側から圧縮機１１側への冷媒の移動を許容し、圧縮機１１側から蒸発器２２側への冷媒の移動を規制するチェックバルブ２３を備えている。
このようにすれば、圧縮機１１停止時に圧縮機１１側の冷媒が蒸発器２２側に流れ、蒸発器２２に液冷媒が寝込むことを抑制することができる。
【００２１】
また、アキュムレータ２４は、チェックバルブ２３の下流側におけるチェックバルブ２３と圧縮機１１との間に配され、チャージポート２５は、チェックバルブ２３の下流側における圧縮機１１とアキュムレータ２４との間に配されている。
チャージポート２５がチェックバルブ２３の上流にあると、ユーザがチェックバルブ２３の下流の冷媒を回収できないと誤認してしまう問題がある。本実施形態によれば、チャージポート２５をチェックバルブ２３の下流に置くことで、冷媒回収が可能であるとの認識が容易になるため、サービス性を向上させることが可能になる。
【００２２】
＜実施形態２＞
次に、実施形態２について、図３を参照して説明する。実施形態１の冷凍回路１０のチャージポート２５は、アキュムレータ２４と圧縮機１１の間に設けられたが、実施形態２の冷凍回路４０のチャージポート４１は、図３に示すように、チェックバルブ２３の下流側におけるチェックバルブ２３とアキュムレータ２４との間に設けられるものである。以下では、実施形態１と同一の構成については同一の符号を付して説明を省略する。
【００２３】
冷凍回路４０のアキュムレータ２４は、チェックバルブ２３の下流側におけるチェックバルブ２３と圧縮機１１との間に配され、チャージポート４１は、チェックバルブ２３の下流側におけるチェックバルブ２３とアキュムレータ２４との間に配されている。
このようにすれば、圧縮機１１とチャージポート４１との間にアキュムレータ２４が配されることより、液冷媒を充填した場合でも、アキュムレータ２４に液冷媒を溜め込むことができる為、圧縮機１１に直接液冷媒が入ることを防止できる。
【００２４】
＜他の実施形態＞
本明細書に記載された技術は上記記述及び図面によって説明した実施形態に限定されるものではなく、例えば次のような実施形態も本明細書に記載された技術の技術的範囲に含まれる。
（１）上記実施形態では、チャージポート２５，４１は、チェックバルブ２３の下流側に設けられたが、これに限られず、チェックバルブ２３の上流側にチャージポートを設けてもよい。
【符号の説明】
【００２５】
１０，４０：  冷凍回路
１１：  圧縮機
２０：  凝縮器
２１：  膨張弁
２２：  蒸発器
２３：  チェックバルブ
２４：  アキュムレータ
２５，４１：  チャージポート
３０：  配管
【図１】
2019039569.tif 000003
【図２】
2019039569.tif 000004
【図３】
2019039569.tif 000005
【図４】
2019039569.tif 000006